(57)【要約】      （修正有）【課題】ボルト・ナット等の締め付けに際し、ラチェットレンチの如く、レンチの係合部を完全に分離させないオープンエンドレンチの係合顎部の形状を提供する。【解決手段】先端が開放された２つの顎部１１，１２を有し、これら顎部１１，１２が６角ボルト頭部５０又は６角ナット等の被締着部材の対向する２つの側面部を挟持できるオープンエンドレンチである。両顎部１１，１２の内周面には、被締着部材の６つの角部の内の３つの角部５０ｋと適合する３つの角部適合部１５を有する。下方の顎部１２の先端部１２ｔとその根本部側の角部適合部１５との間に窪み部１７を形成した。上方の顎部１１の先端部１１ｔの内側内周面に切欠湾曲部１６を設けた。６角ボルト頭部５０の端面と接合する鍔部１８を顎部１１，１２の少なくとも一方の端面に設けることもできる。【選択図】図１
0003173059.tif 000002
【実用新案登録請求の範囲】
【請求項１】
先端が開放された２つの顎部(11, 12)を有し、これら顎部(11, 12)が６角ボルト頭部又はナット等の被締着部材の対向する２つの側面部を挟持できるオープンエンドレンチにおいて、
前記両顎部(11, 12)の内周面には、被締着部材の前記対向する２つの側面部の角部と適合する角部適合部(15, 15)をそれぞれ有し、
更に一方の顎部(12)の先端部(12t)と根本部側の角部適合部(15)との間に、窪み部(17)を形成し、
他方の顎部(11)の先端内周面に切欠湾曲部(16)を形成したことを特徴とするオープンエンドレンチの係合顎部形状。
【請求項２】
前記両顎部(11, 12)の内周面に、被締着部材の角部と適合する３つの角部適合部(15, 15, 15)を形成し、それぞれの角部適合部(15, 15, 15)の間に弧状の窪み(15r)をそれぞれ設けたことを特徴とする請求項１に記載のオープンエンドレンチの係合顎部形状。
【請求項３】
被締着部材の端面と接合する鍔部(18)を前記両顎部(11, 12)の少なくとも一方の端面に設けたことを特徴とする請求項１又は２に記載のオープンエンドレンチの係合顎部形状。
【考案の詳細な説明】
【技術分野】
【０００１】
本考案は、オープンエンドレンチ又はスパナの係合顎部の形状の改良に関するものである。
【背景技術】
【０００２】
従来より、ボルトやナット等の被締着部材を回転させることによって、締め付けて固定し、或いは緩めて外す作業を行うための工具としてレンチやスパナがよく知られている。
これらレンチの内で、その先端部が開放されて、横方向から被締着部材にこのレンチを嵌め込んで使用できるオープンエンドレンチ或いはスパナがある。
【０００３】
このオープンエンドレンチ（以下単に「レンチ」という。）は、その先端の開放部の両側にそれぞれ顎部を有し、これら２つの顎部によって例えば６角ボルト頭部の対向する２つの側面部を挟持し且つこれら２つの側面部の間に位置する３つの角部と適合させて、かかる６角ボルト頭部を回転させることができるものである。
【０００４】
下記特許文献１に記載の「片長顎式スパナとその使用方法」においては、６角ボルト等の回転固着具（被締着部材）を回転するために、その回転固着具の頭部との嵌合を確実に、且つ容易に行えるようにし、ロボット等の自動機械においても適用できるものを提供することを目的としている。
その構成は、ボルト等の被回転固着具の対抗する２つの嵌合面を二股に分かれた顎部の嵌合面の間に挟んで被回転固着具を回動するスパナにおいて、このスパナの一方の嵌合面の長手方向距離を被回転固着具の嵌合面の長手方向距離より長くし、他方は前記一方より更に長く形成し、長い方の顎部先端を固着具に当接して被回転固着具との間で相対的に回転移動し、両嵌合面を一致させた後、同顎部の嵌合面を案内面としてスパナを所定方向に抵抗なく差し入れ、長短両顎部の嵌合面の間に、前記固着具の嵌合面を確実に嵌合させるようにしたものである。
【０００５】
特許文献２は、本願出願人が先に提案した「レンチ」に係るものであるが、ボルトやナット等の被締着部材を締め付け又は緩める際に、かかる被締着部材との係合状態を確実に保持できるようにすることを目的としたものである。
その構成は、ボルト頭部やナット等の被締着部材の６角柱の側面部に係合する係合部に、被締着部材の端面（上面部又は底面部）に接合する鍔部を設けたものである。
この鍔部をボルト頭部の上面部又はナットの上面部又は底面部に接合した状態で係合させることができるために、この鍔部の存在により被締着部材とレンチとの係合が外れてしまうことが防止され、極めて良好に両者の係合が維持され、締め付け又は緩める作業が容易となるものである。
【先行技術文献】
【特許文献】
【０００６】
【特許文献１】特開２００２−１８７３７号公報
【特許文献２】特開２００２−１６０１７２号公報
【考案の概要】
【考案が解決しようとする課題】
【０００７】
本考案は上記のような各種レンチの改良に関するものであって、被締着部材との係合を良好とすることに加えて、例えば、被締着部材である６角ナットを締め付けるに際して、レンチは一旦ナットに係合させ、その対向する２つの側面部を挟持して右回転させる。
その後更に締め付けるために右回転をさせるのであるが、その際に一度両者の係合を分離して左回転させ、異なる６角ナットの側面部と係合させなければならない。この両者の係合の分離に際して、その分離を完全に行わずに、一方の顎部のナット側面部への係合又は係止をそのままにした状態で、レンチを元の左方向に回転できるようにすることが本考案の課題である。
【０００８】
換言すれば、ラチェットレンチにおいては、両顎部はナットの側面部に係合したままの状態でそのラチェット機構により、例えば元の左方向に空回り回動させて、他方の締め付け右方向回転のみ力が加えられる構造となっているが、本考案においては、このラチェット機構を備えずに、このラチェットレンチと同様の作動手順で、締め付け又は緩める作業を行えるようにすることをその課題としているのである。
【課題を解決するための手段】
【０００９】
上記課題を解決するために、本考案の第１のものは、先端が開放された２つの顎部を有し、これら顎部が６角ボルト頭部又はナット等の被締着部材の対向する２つの側面部を挟持できるオープンエンドレンチにおいて、前記両顎部の内周面には、被締着部材の前記対向する２つの側面部の角部と適合する角部適合部をそれぞれ有し、更に一方の顎部の先端部と根本部側の角部適合部との間に、窪み部を形成し、他方の顎部の先端内周面に切欠湾曲部を形成したことを特徴とするオープンエンドレンチの係合顎部形状である。
【００１０】
本考案の第２のものは、上記第１の発明において、前記両顎部の内周面に、被締着部材の角部と適合する３つの角部適合部を形成し、それぞれの角部適合部の間に弧状の窪みをそれぞれ設けたことを特徴とするオープンエンドレンチの係合顎部形状である。
【００１１】
本考案の第３のものは、上記第１又は第２のものにおいて、被締着部材の端面と接合する鍔部を前記両顎部の少なくとも一方の端面に設けたことを特徴とするオープンエンドレンチの係合顎部形状である。
【考案の効果】
【００１２】
本考案の第１のものにおいては、ボルトやナット等の被締着部材を締め付ける際には、両顎部をこの被締着部材の側面部に横方向から適合させ、即ち、両顎部の内周面に設けられている少なくとも２つの角部適合部を被締着部材の２つの対向する側面部の角部に適合させることによって締め付け作業（右回転）を１動作行うことができる。
次に更に締め付け作業を行う際には、両顎部を横方向に少し移動させて、一方の顎部の側の角部適合部を被締着部材の角部から離隔させると、被締着部材の当該角部が窪み部の位置に来ることとなる。
【００１３】
この状態のままで、他方の顎部の先端部の切欠湾曲部の湾曲面を支点（支点は湾曲面に沿って先端部に向かって移動する）として、レンチの腕部を締め付け方向とは逆の左回転をさせて行き、一方の顎部の先端部を被締着部材の側面部乃至角部を乗り越えさせることができる。
というのも、この窪み部が被締着部材の角部の逃げ場となって、レンチの一方の顎部の切欠湾曲部の湾曲面を支点として左回転をするに際して、被締着部材の当該角部が当該逃げ場（窪み部）の内部で回動でき、更に他方の顎部の先端が被締着部材の当該角部を乗り越えることができるからである。
【００１４】
次に、左回転のまま一方の顎部の切欠湾曲部の湾曲面を被締着部材の側面部に沿うように摺動させて行き、次の被締着部材の角部に両顎部を係合させる。その際に、他方の顎部の先端部も被締着部材の側面部に沿うように摺動させて左回転させ、次の被締着部材の角部に係合させるのである。
これを繰り返すことによって、レンチの両顎部を被締着部材から完全に分離させることなく、つまり離脱させることなく、その一部が被締着部材の側面部に係止（接触）した状態で、ラチェットレンチのように、右回転と左回転とを繰り返して右回転の際には締め付けを行い、左回転の際には空回りを行い、締め付け作業を行うことができることとなるのである。
【００１５】
本考案の第２のものにおいては、上記第１の発明の効果に加えて、両顎部の内周面に３つの被締着部材の角部に適合する角部適合部を３つ形成し、これら角部適合部の間のそれぞれに弧状の窪みを形成しているために、本考案に係るレンチを例えば左方向に空回り回転させる際に、被締着部材の角部がその弧状の窪みに沿って良好に案内され得るという効果を発揮できる。
【００１６】
本考案の第３のものにおいては、上記第１又は第２の発明に加えて、両顎部の少なくとも一方の端面に鍔部を設けているために、この鍔部がボルトの頭部上面部或いはナットの一方端面部に接合し、レンチを空回りさせる際のガイド面と成り、更に良好にこの空回り作業を容易に行わせることができるのである。
ここで、レンチの端面というのは、６角ナットや６角ボルト頭部の被締着部材の６角柱の端面と対応する面を意味し、両顎部の内周面と直交する両側の側面を意味する。
【図面の簡単な説明】
【００１７】
【図１】本考案に係るレンチの一実施形態の要部平面図であって、その（Ａ）が締め付け可能状態を示し、その（Ｂ）が空回りの左回転する状態を示している。
【考案を実施するための形態】
【００１８】
以下、添付の図面と共に、本考案の実施形態について説明する。
図１は、本考案に係るレンチの一実施形態の要部平面図であって、その（Ａ）が締め付け可能状態を示し、その（Ｂ）が空回りの左回転する状態を示している。
本考案に係るオープンエンドレンチ１０は、先端側に２つの顎部１１、１２が設けられて、６角ボルト頭部や６角ナット等の被締着部材の側面部と係合する係合部を有し、この係合部の根本側には柄部１３が形成されたものから成る。
【００１９】
顎部は、図中上方の顎部１１が下方の顎部１２よりもその延長長さが短く形成されているが、それぞれの顎部１１、１２の長さは、自由に設定することができ、図のように上方を短く形成することも、又は同一長さに形成することもでき、若しくは、下方の顎部１２の方を上方の顎部１１よりも短く形成することもできる。
【００２０】
本考案においては、この上方の顎部１１の先端部１１ｔの内側の内周面に切欠湾曲部１６を形成している点が一つの特徴部分となっている。
これにより、レンチ１０を少し右矢印方向Ｄに移動させた後に、この切欠湾曲部１６の湾曲面に沿って、レンチ１０を左回転することによって下方の顎部１２の先端部１２ｔが被締着部材であるボルト頭部５０の角部５０ｋと干渉せずに、つまり衝突せずに、乗り越えることができるように構成したのである。
【００２１】
この実施形態では、顎部１１と顎部１２の内周面部に３つの角部適合部１５、１５、１５を設け、ボルト頭部５０の３つの角部５０ｋと適切に適合するように構成している。
しかし、この角部適合部１５は、図中上方と下方の２箇所のみであってもよいものである。これら２つの角部適合部１５、１５によって適切にボルト頭部５０を回転させることができるからである。
【００２２】
本考案においては、そのもう一つの特徴部分である窪み部１７を下方の顎部１２の先端部分１２ｔの内側で、根本側の角部適合部１５との間に設けている。
この窪み部１７の存在によって、後に説明する係合部の空回りである左回転を良好に行うことができることとなる。
【００２３】
更に、本実施形態においては、係合部内の角部適合部１５、１５、１５の間の内周面に
それぞれ弧状の窪み１５ｒ、１５ｒを設けている。この弧状の窪み１５ｒにボルト頭部５０の角部５０ｋが接触した際に、良好に摺動回転しうるように構成したものである。  
【００２４】
次に、この実施形態の使用方法について説明する。
先ず（Ａ）図に示した通り、ボルト頭部５０の周側面部に横方向からレンチ１０を適合させ、レンチ１０の両顎部１１、１２の内周面である係合部をボルト頭部５０の周側面部に適合させる。
完全に適合させると、係合部の内周面の３つの角部適合部１５は、適切にボルト頭部５０の角部５０ｋ、５０ｋ、５０ｋと適合する。この状態でレンチ１０の柄部１３を右回転させることによりボルトが締め付けられる。
【００２５】
適宜右回転させた後、今度はレンチ１０の柄部１３を左回転させるために、（Ａ）図の矢印方向Ｄに示した右横方向に少しレンチ１０を移動させる。
この移動させる距離は、顎部１２の根本部側の角部適合部１５とボルト頭部５０の角部１５ｋとの係合を解除し、その角部１５ｋを窪み部１７の部位に望ませる状態に至る距離である。
この左回転に際して、下方の顎部１２の先端部１２ｔの内側の内周面に設けた窪み部１７が存在していることにより、ボルト頭部５０の角部５０ｋが顎部１２の内周面と干渉せずに、良好に左回転が行われるのである。
【００２６】
このようにして、左回転の空回りが可能となった状態で、上方の顎部１１の先端部１１ｔの内周面に設けた切欠湾曲部１６の湾曲面に沿って、この湾曲面を支点として左回転させつつ、この湾曲面１６をボルト頭部５０の側面部に沿うように摺動させて行くのである（（Ｂ）図参照。）。
そして、ボルト頭部５０の異なる次の角部５０ｋ、５０ｋ、５０ｋに係合部が適合し、締め付け右回転スタンバイ状態となり、次の締め付け動作が行われる。
【００２７】
以上の動作又は操作を繰り返すことによって、ボルトは本考案に係るレンチ１０によって締め付け作業が適切に行われるのである。
この締め付け作業中、本考案に係るレンチ１０においては、被締着部材であるボルト頭部やナットから完全に分離、離脱されることはなく、被締着部材の側面部に少なくともレンチ１０の係合部の顎部１１の先端部１１ｔの内側の切欠湾曲部１６の湾曲面が常に接触した状態を維持し、この湾曲面が被締着部材の側面部に沿うように左回転空回りを案内してくれるのである。
【００２８】
以上、本考案においては、オープンエンドレンチ又はスパナの係合部の顎部形状にその特徴があり、両顎部により係合部を形成し、ボルトやナット等の被締着部材の側面部の少なくとも２つの角部と適合する角部適合部を設けて被締着部材を掴持することができ、一方の顎部の先端部の内側の内周面に窪み部を設けたこと、そして、他方の顎部の先端内周面部に切欠湾曲部を設けたことを特徴とし、係合部の一部である切欠湾曲部の湾曲面を被締着部材の周側面に常に接触させた状態で、空回りさせることが可能となり、いわばラチェットレンチのごとき動作又は操作にて締め付け作業を可能としたものである。
【００２９】
以上、実施形態について説明したが、本考案においてはその形態を以下の通り種々設計変更することが可能である。
本考案に係るレンチの両顎部の間隔等、係合部のサイズは適宜設計変更することができる。また、係合部の外周部の外形形状や柄部の長さ、デザイン等は適宜設定変更することができる。
【００３０】
それぞれの顎部の長さは、既に述べたように、両者の長さを同一に設計することも、一方を他方よりも長く形成することも自由である。
というのも、本考案においては、一方の顎部の先端部内周面に切欠湾曲部を形成しているために、顎部の長さの特定は自由に行うことができ、それ故、必要に応じて、それぞれの顎部の長さを設定することができる。
両顎部の内周面においては、角部適合部を少なくとも２つ設ければよいが、上記実施形態のように３つ設けるのも自由である。
窪み部は、上記第１実施形態では円弧形状に設けたが、その窪み部の形状も、必要に応じて適宜設計変更することができる。
【００３１】
更に、本考案では、両顎部の端面に鍔部を設けることもできる。
この鍔部の一例を図１（Ａ）の符号１８で示しているが、この鍔部１８は、上方の顎部１１の内周面の側の一方の端面側に設けているが、上方の顎部から下方の顎部の端面の全体にこの鍔部を形成して実施することも可能である。
このような鍔部を設けることにより、レンチの係合部を空回りさせる際に、レンチのこの鍔部が被締着部材の端面と接合したままの状態となり、被締着部材から分離、離脱されることをより良く防止することができるのである。
【００３２】
尚、本考案においては、被締着部材を緩める際には、上記締め付け動作と逆の動作を行えばよく、或いは、レンチの一方の切欠湾曲部が設けられた顎部と窪み部が設けられた顎部とを逆に被取付部材に取り付けて、締め付け動作と逆の動作を行えばよい。
【００３３】
以上、本考案は、レンチの顎部の係合部形状を改良することにより、いわばラチェットレンチと同様の動作又は操作により被締着部材を締め付け又は緩めることができることとなるのである。
【符号の説明】
【００３４】
１０  オープンエンドレンチ
１１、１２  顎部
１１ｔ、１２ｔ  先端部
１３  柄部
１５  角部適合部
１６  切欠湾曲部
１７  窪み部
１８  鍔部
５０  ボルト頭部
５０ｋ  角部（ボルト頭部の）
【図１】
0003173059.tif 000003